(57)【特許請求の範囲】
【請求項１】
上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とを含むヘッド本体を備え、それらフェース部とクラウン部とソール部とサイド部とで囲まれた内部が中空部である中空ゴルフクラブヘッドであって、
前記中空ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース部基準断面としたとき、
前記ソール部の前記フェース部寄りの箇所にトウヒール方向に延在する凹部を設けると共に、前記中空部に面した前記凹部の箇所に前記クラウン部側に突出しつつ前記フェース部と前記フェースバックとを結ぶ前後方向の幅を有してトウヒール方向に延在するウェイト部を設け、
前記凹部は、前記フェース部基準断面と平行する平面で切断した状態で、最も前記フェース部側に位置する前側境界点と、最もフェースバック側に位置する後側境界点と、前記前側境界点と前記後側境界点とを結んだ想像線に対してクラウンソール方向において最も離れた箇所に位置する内側境界点とを有し、
前記フェース部基準断面から見て、前記ウェイト部はその延在方向の全長にわたって前記内側境界点上に位置し、
前記フェース部基準断面において前記フェース面と前記ソール部のソール面との境界点をソール部境界点としたとき、
前記フェース部基準断面において前記凹部の肉厚と前記ウェイト部の肉厚とを合計した肉厚が３．５ｍｍ以上１５ｍｍ以下となる重量体領域が形成され、
前記フェース部基準断面において前記ソール部境界点と前記内側境界点との間に、肉厚が０．５ｍｍ以上２．５ｍｍ以下の薄肉部が形成され、
前記水平面および前記フェース部基準断面と直交し前記ソール部境界点から前記フェースバック方向に５ｍｍ離間した箇所に位置する平面を第１平面とし、
前記フェース部基準断面において、前記第１平面と前記ソール部とが交差する交点と前記ソール部境界点とを結ぶ直線が、前記水平面と平行し前記ソール部境界点を通る第２平面に対してなす角度を第１角度θ１としたとき、前記第１角度が１０°以上６０°以下である、
ことを特徴とする中空ゴルフクラブヘッド。
【請求項２】
前記フェース部基準断面において前記前側境界点と前記内側境界点との間に、前記ウェイト部の一部と、前記薄肉部とが位置し、前記薄肉部は前記ウェイト部よりも前記フェース部側に位置している、
ことを特徴とする請求項１記載の中空ゴルフクラブヘッド。
【請求項３】
前記フェース部基準断面において前記ソール部境界点と前記後側境界点との間の前記ソール部の肉厚の加重平均値のうち、前記前側境界点と前記内側境界点との間に位置する前記薄肉部の肉厚の加重平均値が最も小さい、
ことを特徴とする請求項１または２記載の中空ゴルフクラブヘッド。
【請求項４】
前記水平面および前記フェース部基準断面と直交し前記ソール部境界点を通る平面を第３平面とし、前記第３平面と平行し前記後側境界点を通る平面を第４平面とし、前記フェース部基準断面と平行し前記フェース部基準断面からトウ側に４０ｍｍ離間した箇所に位置する平面を第５平面とし、前記フェース部基準断面と平行し前記フェース部基準断面からヒール側に４０ｍｍ離間した箇所に位置する平面を第６平面としたとき、
前記第３平面と前記第４平面と前記第５平面と前記第６平面とで囲まれた矩形範囲内に位置する前記重量体領域の質量が前記ヘッド本体の質量の５％以上５０％以下である、
ことを特徴とする請求項１から３の何れか１項記載の中空ゴルフクラブヘッド。
【請求項５】
前記フェース部基準断面において前記ソール部境界点と前記前側境界点とを結ぶ直線を前記水平面に投影したときの前記直線の距離が５ｍｍ以上１５ｍｍ以下である、
ことを特徴とする請求項１から４の何れか１項記載の中空ゴルフクラブヘッド。
【請求項６】
前記フェース部基準断面において前記前側境界点と前記内側境界点とを結ぶ直線と前記水平面とがなす第２角度θ２が１０°以上４５°以下である、
ことを特徴とする請求項１から５の何れか１項記載の中空ゴルフクラブヘッド。
【請求項７】
前記フェース部基準断面において前記ソール部境界点の前記水平面からの高さをソール部境界点高さとしたとき、
前記中空ゴルフクラブヘッドの体積が４００cc以上の場合、前記ソール部境界点高さは１５ｍｍ以下であり、
前記中空ゴルフクラブヘッドの体積が３００cc以下の場合、前記ソール部境界点高さは８ｍｍ以下である、
ことを特徴とする請求項１から６の何れか１項記載の中空ゴルフクラブヘッド。
【請求項８】
前記フェース部基準断面において前記前側境界点と前記後側境界点とを結ぶ直線の距離を凹部幅としたとき、前記凹部幅が５ｍｍ以上４０ｍｍ以下であり、
前記フェース部基準断面において前記直線から前記ソール部のソール面に延ばした最も長い垂線の長さを凹部深さとしたとき、前記凹部深さが２ｍｍ以上３０ｍｍ以下である、
ことを特徴とする請求項１から７の何れか１項記載の中空ゴルフクラブヘッド。
【請求項９】
前記フェース部基準断面と平行し前記フェース部基準断面からトウ側に１５ｍｍ離間した箇所に位置する平面を第７平面とし、前記フェース部基準断面と平行し前記フェース部基準断面からヒール側に１５ｍｍ離間した箇所に位置する平面を第８平面としたとき、
前記凹部および前記ウェイト部は、少なくとも前記第７平面と前記第８平面との間でトウヒール方向にわたって延在している、
ことを特徴とする請求項１から８の何れか１項記載の中空ゴルフクラブヘッド。
【発明の詳細な説明】
【技術分野】
【０００１】
本発明は中空ゴルフクラブヘッドに関する。
【背景技術】
【０００２】
ゴルフクラブヘッドでボールを打球した際の初速を向上させることが飛距離の向上を図る上で重要である。そのため、ゴルフクラブヘッドの反発係数の向上を図ることが必要となる。
特許文献１から３には、中空ゴルフクラブヘッドにおいて、フェース部寄りのソール部の部分に凹部（弾性変形部）を形成すると共に、凹部の後方におけるソール部の内面（裏面）の部分にウェイト部（高弾性部）を設けることが開示されている。
上記技術によれば、打球時における凹部の変形を促進してフェース部をたわみ易くしている。
【先行技術文献】
【特許文献】
【０００３】
【特許文献１】特許第４１２８９７０号公報
【特許文献２】特許第５６２９９２９号公報
【特許文献３】特許第５７８５２５２号公報
【発明の概要】
【発明が解決しようとする課題】
【０００４】
しかしながら、上記従来技術では、打球時におけるフェース部のうちクラウン部寄りの部分のたわみ量に比較してフェース部のうちソール部寄りの部分のたわみ量が大きくなる。
そのため、打球時にフェース部のロフト角が小さくなる方向に変位することによって打球の打ち出し角が低下するため、飛距離の向上を図る上で改善の余地がある。
本発明は、このような事情に鑑みてなされたものであり、その目的は、打球の打ち出し角の低下を抑制しつつ打球の飛距離の向上を図る上で有利なゴルフクラブヘッドを提供することにある。
【課題を解決するための手段】
【０００５】
上記目的を達成するために、請求項１記載の発明は、上下の高さを有して左右に延在するフェース部と、前記フェース部の上部から後方に延在するクラウン部と、前記フェース部の下部から後方に延在するソール部と、前記クラウン部と前記ソール部の間で前記フェース部のトウ側縁とヒール側縁との間をフェースバックを通って延在するサイド部とを含むヘッド本体を備え、それらフェース部とクラウン部とソール部とサイド部とで囲まれた内部が中空部である中空ゴルフクラブヘッドであって、前記中空ゴルフクラブヘッドを水平面に対して予め定められたライ角およびロフト角通りに設置した基準状態において、フェース面の中心点を通る法線を含みかつ前記水平面と直交する平面で前記ヘッド本体を破断した断面をフェース部基準断面としたとき、前記ソール部の前記フェース部寄りの箇所にトウヒール方向に延在する凹部を設けると共に、前記中空部に面した前記凹部の箇所に前記クラウン部側に突出しつつ前記フェース部と前記フェースバックとを結ぶ前後方向の幅を有してトウヒール方向に延在するウェイト部を設け、前記凹部は、前記フェース部基準断面と平行する平面で切断した状態で、最も前記フェース部側に位置する前側境界点と、最もフェースバック側に位置する後側境界点と、前記前側境界点と前記後側境界点とを結んだ想像線に対してクラウンソール方向において最も離れた箇所に位置する内側境界点とを有し、前記フェース部基準断面から見て、前記ウェイト部はその延在方向の全長にわたって前記内側境界点上に位置し、前記フェース部基準断面において前記フェース面と前記ソール部のソール面との境界点をソール部境界点としたとき、前記フェース部基準断面において前記凹部の肉厚と前記ウェイト部の肉厚とを合計した肉厚が３．５ｍｍ以上１５ｍｍ以下となる重量体領域が形成され、前記フェース部基準断面において前記ソール部境界点と前記内側境界点との間に、肉厚が０．５ｍｍ以上２．５ｍｍ以下の薄肉部が形成され、前記水平面および前記フェース部基準断面と直交し前記ソール部境界点から前記フェースバック方向に５ｍｍ離間した箇所に位置する平面を第１平面とし、前記フェース部基準断面において、前記第１平面と前記ソール部とが交差する交点と前記ソール部境界点とを結ぶ直線が、前記水平面と平行し前記ソール部境界点を通る第２平面に対してなす角度を第１角度θ１としたとき、前記第１角度が１０°以上６０°以下であることを特徴とする。
請求項２記載の発明は、前記フェース部基準断面において前記前側境界点と前記内側境界点との間に、前記ウェイト部の一部と、前記薄肉部とが位置し、前記薄肉部は前記ウェイト部よりも前記フェース部側に位置していることを特徴とする。
請求項３記載の発明は、前記フェース部基準断面において前記ソール部境界点と前記後側境界点との間の前記ソール部の肉厚の加重平均値のうち、前記前側境界点と前記内側境界点との間に位置する前記薄肉部の肉厚の加重平均値が最も小さいことを特徴とする。
請求項４記載の発明は、前記水平面および前記フェース部基準断面と直交し前記ソール部境界点を通る平面を第３平面とし、前記第３平面と平行し前記後側境界点を通る平面を第４平面とし、前記フェース部基準断面と平行し前記フェース部基準断面からトウ側に４０ｍｍ離間した箇所に位置する平面を第５平面とし、前記フェース部基準断面と平行し前記フェース部基準断面からヒール側に４０ｍｍ離間した箇所に位置する平面を第６平面としたとき、前記第３平面と前記第４平面と前記第５平面と前記第６平面とで囲まれた矩形範囲内に位置する前記重量体領域の質量が前記ヘッド本体の質量の５％以上５０％以下であることを特徴とする。
請求項５記載の発明は、前記フェース部基準断面において前記ソール部境界点と前記前側境界点とを結ぶ直線を前記水平面に投影したときの前記直線の距離が５ｍｍ以上１５ｍｍ以下であることを特徴とする。
請求項６記載の発明は、前記フェース部基準断面において前記前側境界点と前記内側境界点とを結ぶ直線と前記水平面とがなす第２角度θ２が１０°以上４５°以下であることを特徴とする。
請求項７記載の発明は、前記フェース部基準断面において前記ソール部境界点の前記水平面からの高さをソール部境界点高さとしたとき、前記中空ゴルフクラブヘッドの体積が４００cc以上の場合、前記ソール部境界点高さは１５ｍｍ以下であり、前記中空ゴルフクラブヘッドの体積が３００cc以下の場合、前記ソール部境界点高さは８ｍｍ以下であることを特徴とする。
請求項８記載の発明は、前記フェース部基準断面において前記前側境界点と前記後側境界点とを結ぶ直線の距離を凹部幅としたとき、前記凹部幅が５ｍｍ以上４０ｍｍ以下であり、前記フェース部基準断面において前記直線から前記ソール部のソール面に延ばした最も長い垂線の長さを凹部深さとしたとき、前記凹部深さが２ｍｍ以上３０ｍｍ以下であることを特徴とする。
請求項９記載の発明は、前記フェース部基準断面と平行し前記フェース部基準断面からトウ側に１５ｍｍ離間した箇所に位置する平面を第７平面とし、前記フェース部基準断面と平行し前記フェース部基準断面からヒール側に１５ｍｍ離間した箇所に位置する平面を第８平面としたとき、前記凹部および前記ウェイト部は、少なくとも前記第７平面と前記第８平面との間でトウヒール方向にわたって延在していることを特徴とする。
【発明の効果】
【０００６】
請求項１記載の発明によれば、ソール部のフェース部寄りの箇所にトウヒール方向に延在する凹部を設けると共に、凹部の箇所に前後方向の幅を有してトウヒール方向に延在するウェイト部を設け、フェース中心基準断面から見て、ウェイト部がその延在方向の全長にわたって内側境界点上に位置するようにした。
したがって、打球時にウェイト部に作用する慣性力により、ソール部のうちソール部境界点と前側境界点との間の部分がフェース部の前方に向かって斜め下方に膨らむように変形する。
そのため、打球時にフェース部のたわみを大きくし、なおかつ打球時のロフト角が小さくなることが抑えられるため、打球の打ち出し角の低下が抑えられることに加え、変形時のフェース部の端部（ソール部境界点）をソール部方向に移動させ、フェース部のクラウンソール方向のフェース長さを大きくすることができる。したがって、フェース部のたわみをさらに大きくすることができ、打球の初速を高め飛距離を確保する上で有利となる。
したがって、打球の打ち出し角の低下を抑制しつつ、打球の初速を高める上で有利となり、飛距離を確保する上で有利となる。
請求項２から請求項９記載の発明によれば、請求項１の効果を高める上で有利となる。
【図面の簡単な説明】
【０００７】
【図１】第１の実施の形態に係る中空ゴルフクラブヘッドをフェース面の前方から見た正面図である。
【図２】図１のＡ矢視図である。
【図３】図１のＢ矢視図である。
【図４】フェース面の中心点Ｐｃの規定方法を示す第１の説明図である。
【図５】フェース面の中心点Ｐｃの規定方法を示す第２の説明図である。
【図６】フェース面の中心点Ｐｃの規定方法を示す第３の説明図である。
【図７】フェース面の中心点Ｐｃの規定方法を示す第４の説明図である。
【図８】中空ゴルフクラブヘッドの重心点Ｇ０とフェース面上重心点ＦＧとの関係を示す中空ゴルフクラブヘッドの断面図である。
【図９】フェース面の輪郭線Ｉの定義を説明する中空ゴルフクラブヘッドの正面図である。
【図１０】フェース面の輪郭線Ｉの定義を説明する中空ゴルフクラブヘッドの断面図である。
【図１１】フェース面の中心点Ｐｃの定義を説明する中空ゴルフクラブヘッドの正面図である。
【図１２】（Ａ）、（Ｂ）は第１の実施の形態に係る中空ゴルフクラブヘッドのフェース部基準断面の断面図である。
【図１３】中空ゴルフクラブヘッドの各部の規定を説明するための説明図である。
【図１４】重量体領域、薄肉部に関する規定を説明する説明図である。
【図１５】第２角度の規定を説明する説明図である。
【図１６】ソール部境界点高さの規定を説明する説明図である。
【図１７】凹部幅、凹部深さの規定を説明する説明図である。
【図１８】ソール部、薄肉部の肉厚の加重平均値の規定を説明する説明図である。
【図１９】打球時における中空ゴルフクラブヘッドの変形を説明する説明図である。
【図２０】（Ａ）はウェイト部が内側境界点と後側境界点との間にわたって位置する第１の中空ゴルフクラブヘッドの変形を説明する説明図、（Ｂ）はウェイト部が内側境界点の前後にわたって位置する第２の中空ゴルフクラブヘッドの変形を説明する説明図、（Ｃ）は第１、第２の中空ゴルフクラブヘッドの変形を比較する説明図である。
【図２１】（Ａ）、（Ｂ）は従来技術における中空ゴルフクラブヘッドの変形を説明する説明図である。
【図２２】実験例１〜１４の評価結果を示す図である。
【図２３】実験例１５〜２７の評価結果を示す図である。
【図２４】実験例２８〜３６の評価結果を示す図である。
【図２５】実験例１の説明図である。
【図２６】実験例２の説明図である。
【図２７】実験例３の説明図である。
【図２８】実験例４の説明図である。
【図２９】実験例５の説明図である。
【図３０】実験例６の説明図である。
【図３１】実験例１３の説明図である。
【発明を実施するための形態】
【０００８】
次に本発明の実施の形態について説明する。
図１〜図３、図１２に示すように、本実施の形態において、中空ゴルフクラブヘッド１０は、中空のウッド型ゴルフクラブヘッドであり、ヘッド本体１２を含んで構成されている。
ヘッド本体１２は、主に金属材料により構成される。
前記金属材料としては、例えばステンレス鋼、マルエージング鋼、純チタン、チタン合金又はアルミニウム合金等の１種又は２種以上が用いられる。
ヘッド本体１２は、フェース部１４と、クラウン部１６と、ソール部１８と、サイド部２０とを備えている。
フェース部１４は、上下の高さを有して左右に延在している。
クラウン部１６は、フェース部１４の上部から後方に延在している。
ソール部１８は、フェース部１４の下部から後方に延在している。
サイド部２０は、クラウン部１６とソール部１８の間でフェース部１４のトウ２２側縁とヒール２４側縁との間をフェースバック２６を通って延在している。
ヘッド本体１２は、それらフェース部１４とクラウン部１６とソール部１８とサイド部２０とで囲まれた内部が中空部２８とされた中空構造を呈している。
図８に示すように、フェース部１４の外側に露出する表面がボールを打撃するフェース面１４Ａであり、フェース部１４の中空部２８に面した裏面がフェース裏面１４Ｂとなっている。
クラウン部１６の外側に露出する表面がクラウン面１６Ａであり、クラウン部１６の中空部２８に面した裏面がクラウン裏面１６Ｂである。
クラウン部１６には、フェース面１４Ａ側でかつヒール２４寄りの位置にシャフトＳに接続するホーゼル３０が設けられている。
ソール部１８の外側に露出する表面がソール面１８Ａであり、ソール部１８の中空部２８に面した裏面がソール裏面１８Ｂとなっている。
【０００９】
次に、フェース面１４Ａの中心点Ｐｃの規定方法について説明する。
フェース面１４Ａの中心点Ｐｃは、フェース面１４Ａの幾何学的中心であり、中心点Ｐｃの規定方法としては以下に例示する第１の規定方法、第２の規定方法を含め従来公知のさまざまな方法が採用可能である。
【００１０】
［Ａ］フェース面１４Ａの中心点Ｐｃの第１の規定方法：
フェース面１４Ａと他の中空ゴルフクラブヘッド１０の部分との境目が明確である場合、言い換えると、フェース面１４Ａの周縁が稜線によって特定される場合における中心点Ｐｃの規定方法である。この場合はフェース面１４Ａが明瞭に定義されることになる。
図４〜図７はフェース面１４Ａの中心点Ｐｃの規定方法を示す説明図である。
【００１１】
（１）まず、図４に示すように、ライ角およびフェース角が規定値となるように水平面ＨＰ上に中空ゴルフクラブヘッド１０を載置する。このときの中空ゴルフクラブヘッド１０の状態を基準状態とする。なお、ライ角およびフェース角の設定値は、例えば製品カタログに記載された値である。
【００１２】
（２）次にクラウン部１６及びソール部１８を結ぶ方向における仮中心点ｃ０を求める。
すなわち、図４に示すように、トウ２２およびヒール２４を結ぶ水平面ＨＰと平行な線（以下水平線という）の概略中心点と交差する垂線ｆ０を引く。
この垂線ｆ０とフェース面１４Ａの上縁とが交差するａ０点と、垂線ｆ０とフェース面１４Ａの下縁とが交差するｂ０点の中点を仮中心点ｃ０とする。
【００１３】
（３）次に図５に示すように仮中心点ｃ０を通る水平線ｇ０を引く。
（４）次に図６に示すように水平線ｇ０とフェース面１４Ａのトウ２２側の縁とが交差するｄ０点と、水平線ｇ０とフェース面１４Ａのヒール２４側の縁とが交差するｅ０点の中点を仮中心点ｃ１とする。
【００１４】
（５）次に図７に示すように仮中心点ｃ１を通る垂線ｆ１を引き、この垂線ｆ１とフェース面１４Ａの上縁とが交差するａ１点と、垂線ｆ１とフェース面１４Ａの下縁とが交差するｂ１点の中点を仮中心点ｃ２とする。
ここで、仮中心点ｃ１とｃ２とが合致したならばその点をフェース面１４Ａの中心点Ｐｃとして規定する。
仮中心点ｃ１とｃ２が合致しなければ、（２）乃至（５）の手順を繰り返す。
なお、フェース面１４Ａは曲面を呈しているため、水平線ｇ０の中点、垂線ｆ０、ｆ１の中点を求める場合の水平線ｇ０の長さ、垂線ｆ０、ｆ１の長さはフェース面１４Ａの曲面に沿った長さを用いるものとする。
そして、フェースセンターラインＣＬは、中心点Ｐｃを通りかつトウ２２−ヒール２４方向と直交する方向に延在する直線で定義される。
【００１５】
［Ｂ］フェース面１４Ａの中心点Ｐｃの第２の規定方法：
次に、フェース面１４Ａの周縁と他の中空ゴルフクラブヘッド１０の部分との間が曲面で接続されておりフェース面１４Ａが明瞭に定義できない場合の中心点Ｐｃの定義を説明する。
【００１６】
図８に示すように、中空ゴルフクラブヘッド１０は中空であり、符号Ｇ０は中空ゴルフクラブヘッド１０の重心点を示し、符号Ｌｐは重心点Ｇ０とフェース面上重心点ＦＧとを結ぶ直線であり、言い換えると、直線Ｌｐは重心点Ｇ０を通るフェース面１４Ａの垂線である。
すなわち、中空ゴルフクラブヘッド１０の重心点Ｇ０をフェース面１４Ａに投影した点がフェース面上重心点ＦＧである。
ここで、図９に示すように、重心点Ｇ０とフェース面上重心点ＦＧとを結ぶ直線Ｌｐを含む多数の平面Ｈ１、Ｈ２、Ｈ３、…、Ｈｎを考える。
【００１７】
中空ゴルフクラブヘッド１０を各平面Ｈ１、Ｈ２、Ｈ３、…、Ｈｎに沿って破断したときの断面において、図１０に示されるように、中空ゴルフクラブヘッド１０の外面の曲率半径ｒ０を測定する。
曲率半径ｒ０の測定に際して、フェース面１４Ａ上のフェースライン、パンチマーク等が無いものとして扱う。
曲率半径ｒ０は、フェース面１４Ａの中心点Ｐｃから外方向（図１０における上方向、下方向）に向かって連続的に測定される。
そして、測定において曲率半径ｒ０が最初に所定の値以下となる部分をフェース面１４Ａの周縁を表わす輪郭線Ｉとして定義する。
所定の値は例えば２００ｍｍである。
多数の平面Ｈ１、Ｈ２、Ｈ３、…、Ｈｎに基づいて決定された輪郭線Ｉによって囲まれた領域が、図９、図１０に示すように、フェース面１４Ａとして定義される。
【００１８】
次に、図１１に示すように、ライ角およびフェース角が規定値となるように水平な地面上（水平面ＨＰ）に中空ゴルフクラブヘッド１０を載置する。
直線ＬＴは、フェース面１４Ａのトウ２２側点ＰＴを通過して鉛直方向に延在する。
直線ＬＨは、フェース面１４Ａのヒール２４側点ＰＨを通過して鉛直方向に延在する。
直線ＬＣは、直線ＬＴおよび直線ＬＨと平行である。直線ＬＣと直線ＬＴとの距離は、直線ＬＣと直線ＬＨとの距離と等しい。
符号Ｐｕは、フェース面１４Ａの上側点を示し、符号Ｐｄはフェース面１４Ａの下側点である。上側点Ｐｕおよび下側点Ｐｄは、いずれも直線ＬＣと輪郭線Ｉとの交点である。
中心点Ｐｃは、上側点Ｐｕと下側点Ｐｄとを結ぶ線分の中点で定義される。
【００１９】
次に、中空ゴルフクラブヘッド１０の各部の規定について詳細に説明する。
図１、図２に示すように、中空ゴルフクラブヘッド１０を水平面ＨＰに対して予め定められたライ角およびロフト角通りに設置した基準状態とする。
基準状態において、フェース面１４Ａの中心点Ｐｃを通る法線を含みかつ水平面ＨＰと直交する平面Ｘでヘッド本体１２を破断した断面をフェース部基準断面Ｐｆｃとする。言い換えると、フェース部基準断面Ｐｆｃは、基準状態において、フェースセンターラインＣＬを含みかつ水平面ＨＰと直交する平面Ｘでヘッド本体１２を破断した断面である。
【００２０】
図２、図３、図１２（Ａ）に示すように、ソール部１８のフェース部１４寄りの箇所に、トウヒール方向に延在する凹部３２と、中空部２８に面した凹部３２の箇所にクラウン部１６側に突出しつつフェース部１４とフェースバック２６とを結ぶ前後方向の幅を有してトウヒール方向に延在するウェイト部３４とが設けられている。
本実施の形態では、図３に示すように、凹部３２の前後方向の幅は、トウヒール方向の中央部が広く、トウヒール方向の両端部が中央部よりも狭く形成されている。
また、凹部３２は、フェース部１４側が前方に凸状に湾曲し、フェースバック２６側が後方に凸状に湾曲している。
ウェイト部３４の前後方向の幅は、トウヒール方向の中央部が広く、トウヒール方向の両端部が中央部よりも狭く形成されている。
ウェイト部３４は、フェース部１４側が前方に凸状に湾曲し、フェースバック２６側が後方に凸状に湾曲している。
【００２１】
凹部３２およびウェイト部３４を説明するに先立って、ソール部境界点Ａと、前側境界点Ｂと、内側境界点Ｃと、後側境界点Ｄと、第１平面Ｐ１〜第８平面Ｐ８とについて説明する。
【００２２】
（ソール部境界点Ａ）
図１、図１２（Ａ）に示すように、中空ゴルフクラブヘッド１０を基準状態に設置し、フェース部基準断面Ｐｆｃにおいて、ソール部境界点Ａを規定する。
ソール部境界点Ａは、フェース部１４とソール部１８との境界点である。
図１３に示すように、フェース部基準断面Ｐｆｃにおいて、フェース面１４Ａの中心点Ｐｃからソール部１８に向かって１ｍｍ間隔で３つの測定点ｐを規定し３つの測定点ｐを通る円弧の曲率半径Ｒを測定するとともに、この曲率半径の測定を３つの測定点ｐを１ｍｍずつソール部１８に近づく方向に向かって変位させつつ行なう操作を繰り返すことで曲率半径Ｒ（Ｒ＝Ｒ１、Ｒ２、Ｒ３、……Ｒｎ−１、Ｒｎ、Ｒｎ＋１、……）を順次測定する。
測定された曲率半径Ｒｎをその直前に測定された曲率半径Ｒｎ−１で除した値が０．２５未満となったときに、３つの測定点ｐのうちの中間の測定点ｐを第１規定点Ａ１とする。
第１規定点Ａ１よりも１ｍｍ分フェース面１４Ａの中心点Ｐｃに近い測定点ｐを第２規定点Ａ２とする。
第１規定点Ａ１を除き、第２規定点Ａ２を含む複数の測定点ｐを通る円弧の曲率半径でソール部１８側に延長した曲線（円弧）を第１規定線αとする。
なお、第１規定線αを規定する複数の測定点ｐのうち、第２規定点Ａ２から最もフェース面１４Ａの中心点Ｐｃに近い測定点ｐまでの第１規定線αに沿った距離は約３〜１５ｍｍである。実際の中空ゴルフクラブヘッドでは、フェース部基準断面Ｐｆｃにおいて、上記約３ｍｍから１５ｍｍの範囲でフェース面１４Ａの曲率半径はほぼ一定である。
第１規定点Ａ１よりも１ｍｍ分ソール部１８寄りの点を第３規定点Ａ３とする。
第１規定点Ａ１を除き、第３規定点Ａ３を含む複数の測定点ｐを通る円弧の曲率半径で第１規定点Ａ１側に延長した曲線（円弧）を第２規定線βとする。
なお、第２規定線βを規定する複数の測定点ｐのうち、第３規定点Ａ３から最も離れた測定点ｐまでの第２規定線βに沿った距離は約３〜１０ｍｍである。実際の中空ゴルフクラブヘッドでは、フェース部基準断面Ｐｆｃにおいて、上記約３ｍｍから１０ｍｍの範囲でソール面１８Ａの曲率半径はほぼ一定である。
上記の第１規定線αと第２規定線βとの交点をソール部境界点Ａとする。
したがって、図１３に示すように、ソール部境界点Ａは、中空ゴルフクラブヘッド１０の外面から外側に僅かに離れた箇所に位置している。
本実施の形態では、上述のような手順でソール部境界点Ａを規定したため、ソール部境界点Ａを簡単かつ確実に定める上で有利となる。
なお、ソール部境界点Ａを規定するための各曲率半径を測定するためのデータ作製方法は、中空ゴルフクラブヘッド１０をレーザースキャン等を用いて寸法測定を行うことにより、ＣＡＤデータ（外面データ）を作成して、曲率半径を測定するなどで良い。
【００２３】
（前側境界点Ｂ、内側境界点Ｃ、後側境界点Ｄ）
図１２（Ａ）、（Ｂ）、図１３に示すように凹部３２は、フェース部基準断面Ｐｆｃと平行する平面で切断した状態で、最もフェース部１４側に位置する前側境界点Ｂと、最もフェースバック２６側に位置する後側境界点Ｄと、前側境界点Ｂと後側境界点Ｄとを結んだ想像線に対してクラウンソール方向において最も離れた箇所に位置する内側境界点Ｃとを有している。
言い換えると、凹部３２はフェース部基準断面Ｐｆｃと平行する平面で切断した状態で、最前側境界点Ｂと内側境界点Ｃとを接続する前壁３２０２と、内側境界点Ｃと後側境界点Ｄとを接続する後壁３２０４とを有している。
本実施の形態では、前側境界点Ｂ、内側境界点Ｃ、後側境界点Ｄは、ヘッド本体１２の外面上に規定される。
【００２４】
図１３を参照して前側境界点Ｂ、内側境界点Ｃ、後側境界点Ｄについて説明する。
フェース部基準断面Ｐｆｃと平行する平面で切断した状態で凹部３２よりも前方のソール部１８の箇所からフェースバック２６方向に向かって１ｍｍ間隔で３つの測定点ｐを規定し３つの測定点ｐを通る円弧の曲率半径Ｒを測定するとともに、この曲率半径の測定を３つの測定点ｐを１ｍｍずつフェースバック２６方向に向かって変位させつつ行なう操作を繰り返すことで曲率半径Ｒ（Ｒ＝Ｒ１、Ｒ２、Ｒ３、……Ｒｎ−１、Ｒｎ、Ｒｎ＋１、……）を順次測定する。
測定された曲率半径Ｒｎの値が最小値となったとき、３つの測定点ｐのうちの中間の測定点ｐを前側境界点Ｂとする。
また、フェース部基準断面Ｐｆｃと平行する平面で切断した状態で前側境界点Ｂからフェース部１４方向に向かって１ｍｍ間隔で３つの測定点ｐを規定し３つの測定点ｐを通る円弧の曲率半径Ｒを測定するとともに、この曲率半径の測定を３つの測定点ｐを１ｍｍずつフェース部１４方向に向かって変位させつつ行なう操作を繰り返すことで曲率半径Ｒ（Ｒ＝Ｒ１、Ｒ２、Ｒ３、……Ｒｎ−１、Ｒｎ、Ｒｎ＋１、……）を順次測定する。
測定された曲率半径Ｒｎの値が最小値となったとき、３つの測定点ｐのうちの中間の測定点ｐを内側境界点Ｃとする。
また、フェース部基準断面Ｐｆｃと平行する平面で切断した状態でソール部１８側の凹部３２よりも後方のソール部１８の箇所からフェース部１４方向に向かって１ｍｍ間隔で３つの測定点ｐを規定し３つの測定点ｐを通る円弧の曲率半径Ｒを測定するとともに、この曲率半径の測定を３つの測定点ｐを１ｍｍずつフェース部１４方向に向かって変位させつつ行なう操作を繰り返すことで曲率半径Ｒ（Ｒ＝Ｒ１、Ｒ２、Ｒ３、……Ｒｎ−１、Ｒｎ、Ｒｎ＋１、……）を順次測定する。
測定された曲率半径Ｒｎの値が最小値となったとき、３つの測定点ｐのうちの中間の測定点ｐを後側境界点Ｄとする。
本実施の形態では、上述のような手順で前側境界点Ｂ、内側境界点Ｃ、後側境界点Ｄを規定したため、各境界点Ｂ、Ｃ、Ｄを簡単かつ確実に定める上で有利となる。
なお、前側境界点Ｂ、内側境界点Ｃ、後側境界点Ｄの曲率半径を測定するためのデータ作製方法は、前述したソール部境界点Ａの曲率半径を測定するためのデータ作製方法と同様に行なえば良い。
また、本実施の形態では、凹部３２の前側境界点Ｂ、内側境界点Ｃ、後側境界点Ｄを１mmピッチで順次測定して曲率半径Ｒｎの値が最小値となる点を求めた場合について説明した。
しかしながら、製造上の問題や本発明を意図的に規定方法だけで回避するために適用されたと思われる微小凹凸部などの曲率半径Ｒｎの値は、曲率半径Ｒｎ最小値としては、適用されない。これは、当業者が凹部３２をマクロ的に見て常識的に考えて凹部３２の前側境界点Ｂ、内側境界点Ｃ、後側境界点Ｄ近辺と思われる場所を決めて、その近辺の曲率半径Ｒｎ最小値を探して前側境界点Ｂ、内側境界点Ｃ、後側境界点Ｄを決める方法でも良いことを追記しておく。また、凹部３２が複数ある場合は、いずれか１つの凹部３２が本特許内容に該当していれば良い。
【００２５】
（第１平面Ｐ１〜第８平面Ｐ８）
図３、図１３に示すように第１平面Ｐ１〜第８平面Ｐ８を規定する。
第１平面Ｐ１は、図１３に示すように、水平面ＨＰおよびフェース部基準断面Ｐｆｃと直交しソール部境界点Ａからフェースバック２６方向に５ｍｍ離間した箇所に位置する平面とする。
第２平面Ｐ２は、図１３に示すように、水平面ＨＰと平行しソール部境界点Ａを通る平面とする。
第３平面Ｐ３は、図３に示すように、水平面ＨＰおよびフェース部基準断面Ｐｆｃと直交しソール部境界点Ａを通る平面とする。
第４平面Ｐ４は、図３に示すように、第３平面Ｐ３と平行し後側境界点Ｄを通る平面とする。
第５平面Ｐ５は、フェース部基準断面Ｐｆｃと平行しフェース部基準断面Ｐｆｃからトウ側に４０ｍｍ離間した箇所に位置する平面とする。
第６平面は、フェース部基準断面Ｐｆｃと平行しフェース部基準断面Ｐｆｃからヒール側に４０ｍｍ離間した箇所に位置する平面とする。
第７平面Ｐ７は、フェース部基準断面Ｐｆｃと平行しフェース部基準断面Ｐｆｃからトウ側に１５ｍｍ離間した箇所に位置する平面とする。
第８平面は、フェース部基準断面Ｐｆｃと平行しフェース部基準断面Ｐｆｃからヒール側に１５ｍｍ離間した箇所に位置する平面とする。
【００２６】
図３、図１２（Ａ）、（Ｂ）に示すように、フェース部基準断面Ｐｆｃから見て、ウェイト部３４はその延在方向の全長にわたって内側境界点Ｃ上に位置している。
図１９に示すように、打球時において、ウェイト部３４には、フェース部１４に向かう方向の慣性力Ｆが作用する。なお、図１９において実線は打球前のヘッド本体１２の形状を示し、二点鎖線は打球時に変形したヘッド本体１２の形状を示す。また、符号Ａ、Ｂは打球前のソール部境界点、前側境界点をそれぞれ示し、符号Ａ′、Ｂ′は打球時のソール部境界点、前側境界点をそれぞれ示す。
ウェイト部３４がその延在方向の全長にわたって内側境界点Ｃ上に位置しているため、ウェイト部３４に作用する慣性力Ｆにより、フェース部１４寄りのソール部１８の部分が、すなわち、ソール部１８のうちソール部境界点Ａと前側境界点Ｂとの間の部分（以下ソールフランジ部ともいう）がフェース部１４の前方に向かって斜め下方に膨らむように大きくたわむ。
すなわち、図１９に示すように、打球時に中空ゴルフクラブヘッド１０に加わったエネルギーは、フェース部１４がフェースバック２６方向に変位する第１のたわみΔｄ１を発生させると共に、ソール部境界点Ａと前側境界点Ｂとの間の部分（ソールフランジ部）がフェース部１４の前方に向かって斜め下方に膨らむ第２のたわみΔｄ２を大きく発生させる。
その結果、打球時に第２のたわみΔｄ２が生じることでフェース部１４の第１のたわみΔｄ１が増加すると同時に、フェース面１４Ａはロフト角が小さくなりにくい変形となる。
これは、第２のたわみΔｄ２が生じることで、ソール部境界点Ａは符号Ａ′に示すようにソール部１８側に（下方に）変位するからである。すなわち、フェース部１４の端部であるソール部境界点Ａ′がソール部１８側に変位することから、フェース部１４のクラウンフェース方向の大きさが拡大されることになり、フェース部１４の第１のたわみΔｄ１はさらに増加するため、打球の初速が増加することになる。
これに対して、ソール部に凹部が無い従来の中空ゴルフクラブヘッドのように打球時に生じたエネルギーのほぼ全てが第１のたわみΔｄ１を生じさせる場合は、ソールフランジ部の第２のたわみΔｄ２が小さいので反発力（ボール初速）は本発明よりダウンする。
また、図２１に示すようにソール部１８に凹部９０が有る従来の中空ゴルフクラブヘッドでは、ソールフランジ部の第２のたわみΔｄ２を大きくたわませて第１のたわみΔｄ１を大きく確保するメカニズムではなく、凹部９０を縮ませることで（ばねが縮むイメージ）フェース部１４の第１のたわみΔｄ１を大きくするメカニズムである。そのため、図２１の従来例は、凹部９０を縮ませる（ばねが縮むイメージ）ために、打球時のロフト角が小さくなり、打球の打ち出し角の低下が顕著に起こる。
また、ソールフランジ部がたわまないため、変形前のソール部境界点Ａと変形後のソール部境界点Ａ′を比較すると、ソール部境界点Ａは変形によってソール部１８方向にほとんど変位していない。そのため、本発明と異なりフェース部１４のクラウンソール方向の大きさが増えることによる初速が増加する効果は奏されない。
これらの従来技術に対して本発明が有利な点をまとめると以下の通りである。
打球時にソールフランジ部が下方向に大きく変形することでフェース部１４のたわみを大きくし、なおかつ打球時のロフト角が小さくなることが抑えられる。具体的には、打球の打ち出し角の低下が抑えられる一方、変形時のフェース部１４の端部（ソール部境界点Ａ）をソール部１８方向（Ａ′）に移動させ、フェース部１４のクラウンソール方向のフェース長さを大きくすることができる。したがって、フェース部１４のたわみをさらに大きくすることができ、さらなる打球の初速を高め飛距離を確保する上で有利となる。
【００２７】
また、本実施の形態では、図１３に示すように、フェース部基準断面Ｐｆｃにおいて、第１平面Ｐ１とソール部１８とが交差する交点Ｘ１とソール部境界点Ａとを結ぶ直線ＬＡＸが、第２平面Ｐ２に対してなす角度を第１角度θ１としたとき、第１角度θ１が１０°以上６０°以下である。
第１角度θ１が上記範囲内であると、打球時においてソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
第１角度θ１が上記範囲を下回ると、ソール部境界点Ａと前側境界点Ｂとの角度が小さく鋭角となり、打球時に第２のたわみΔｄ２が低下し、打球時の打ち出し角度の低下を抑制しつつ初速アップして飛距離を確保する効果が低下する。
第１角度θ１が上記範囲を上回ると、ソールフランジ部もフェース部１４の一部と同様の存在に近くなり、ソールフランジ部近辺のフェース面１４Ａで打球した時に、ソールフランジ部に過大な応力が発生しやすくなり、耐久性を確保する効果が低下する。
【００２８】
また、本実施の形態では、図１４に示すように、フェース部基準断面Ｐｆｃにおいて凹部３２の肉厚Ｔ１とウェイト部３４の肉厚Ｔ２とを合計した肉厚Ｔ３が３．５ｍｍ以上１５ｍｍ以下となる重量体領域３６が形成されており、重量体領域３６をハッチングで示す。
また、フェース部基準断面Ｐｆｃにおいてソール部境界点Ａと内側境界点Ｃとの間に、肉厚Ｔ４が０．５ｍｍ以上２．５ｍｍ以下の薄肉部３８が形成されている。
凹部３２の肉厚とウェイト部３４の肉厚とを合計した肉厚Ｔ３が上記範囲内であり、ソール部境界点Ａと内側境界点Ｃとの間に上記範囲内の肉厚Ｔ４の薄肉部３８が形成されていると、打球時にウェイト部３４の慣性力により薄肉部３８がたわみやすく、したがって、ソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
凹部３２の肉厚Ｔ１とウェイト部３４の肉厚Ｔ２とを合計した肉厚Ｔ３が上記範囲を下回ると、ウェイト部３４に作用する慣性力Ｆが小さくなるため、第２のたわみ量Δｄ２を大きく確保する効果が低下する。
凹部３２の肉厚Ｔ１とウェイト部３４の肉厚Ｔ２とを合計した肉厚Ｔ３が上記範囲を上回ると、ウェイト部３４の重心位置が高くなりすぎ、ウェイト部３４に作用する慣性力Ｆの向きが効率的でなく、第２のたわみ量Δｄ２を大きく確保する効果が低下する。また、ゴルフヘッドとしての設計自由度を確保する効果、心地よい打球音を確保する効果、打ち出し角、飛距離、耐久性を確保する効果が低下する。
薄肉部３８の肉厚Ｔ４が上記範囲を下回ると、剛性が低くなりすぎ、耐久性を確保する効果が低下する。
薄肉部３８の肉厚Ｔ４が上記範囲を上回ると、剛性が高くなりすぎ、第２のたわみΔｄ２を大きく確保する効果が低下する。
【００２９】
また、本実施の形態では、図１８に示すように、フェース部基準断面Ｐｆｃにおいて前側境界点Ｂと内側境界点Ｃとの間に、ウェイト部３４の一部と、薄肉部３８とが位置し、薄肉部３８はウェイト部３４よりもフェース部１４側に位置している。
中空ゴルフクラブヘッド１０が上記構成を有していると、ウェイト部３４が薄肉部３８に近接しているため、打球時にウェイト部３４の慣性力により薄肉部３８がたわみやすく、したがって、打球時にソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
中空ゴルフクラブヘッド１０が上記構成を有していないと、打球時にソール部１８のうちソール部境界点Ａと前側境界点Ｂとの間の部分の第２のたわみΔｄ２を確保し、打球時の打ち出し角度の低下を抑制しつつ飛距離を確保する効果が低下する。
【００３０】
また、本実施の形態では、図１８に示すように、フェース部基準断面Ｐｆｃにおいてソール部境界点Ａと後側境界点Ｄとの間のソール部１８の肉厚の加重平均値のうち、前側境界点Ｂと内側境界点Ｃとの間に位置する薄肉部３８の肉厚の加重平均値Ｔａが最も小さい。
なお、ソール部境界点Ａと後側境界点Ｄとの間のソール部１８の肉厚の加重平均値とは、ソール部境界点Ａと前側境界点Ｂとの間の領域、前側境界点Ｂと内側境界点Ｃとの間の領域、内側境界点Ｃと後側境界点Ｄとの間の領域のそれぞれの領域において、実際の肉厚をその長さで重み付けした値である。
加重平均を算出することが困難であれば、ソール部境界点Ａから後側境界点Ｄまでの間の肉厚を、ソール部境界点Ａから後側境界点Ｄに沿って一定の間隔で測定することで得た複数の肉厚値をその測定数で除した平均値でも良い。
同様に、前側境界点Ｂと内側境界点Ｃとの間に位置する薄肉部３８の肉厚の加重平均値Ｔａとは、前側境界点Ｂと内側境界点Ｃとの間の領域のうち薄肉部３８の部分の実際の肉厚を薄肉部３８の長さで重み付けした値である。
加重平均を算出することが困難であれば、薄肉部３８の肉厚を薄肉部３８に沿って一定の間隔で測定することで得た複数の肉厚値をその測定数で除した平均値でも良い。
中空ゴルフクラブヘッド１０が上記構成を有していると、打球時にウェイト部３４の慣性力により薄肉部３８がたわみやすく、したがって、打球時にソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
中空ゴルフクラブヘッド１０が上記構成を有していないと、打球時にソール部１８のうちソール部境界点Ａと前側境界点Ｂとの間の部分の第２のたわみΔｄ２を確保し、打球時の打ち出し角度の低下を抑制しつつ飛距離を確保する効果が低下する。
【００３１】
また、本実施の形態では、図３に示すように、第３平面Ｐ３と第４平面Ｐ４と第５平面Ｐ５と第６平面Ｐ６とで囲まれた矩形範囲内に位置する重量体領域３６の質量をＷ１としたとき、重量体領域３６の質量Ｗ１がヘッド本体の質量Ｗ２の５％以上５０％以下である。
質量Ｗ１／質量Ｗ２の比率が上記範囲内であると、打球時にウェイト部３４の慣性力によりソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
質量Ｗ１／質量Ｗ２の比率が上記範囲を下回ると、打球時にウェイト部３４の慣性力が小さいため、ソール部１８のうちソール部境界点Ａと前側境界点Ｂとの間の部分の第２のたわみΔｄ２を確保し、打球時の打ち出し角度の低下を抑制しつつ飛距離を確保する効果が低下する。
質量Ｗ１／質量Ｗ２の比率が上記範囲を上回ると、慣性力の大きさが大きくなりすぎ、第２のたわみΔｄ２が大きくなりすぎて、エネルギーロスを生じ、飛距離を確保する効果が低下する。また、ゴルフヘッドとしての設計自由度を確保する効果が低下し（重心深さが浅くなる）、心地よい打球音を確保する効果が低下し、打ち出し角、飛距離、耐久性を確保する効果が低下する。
【００３２】
また、本実施の形態では、フェース部基準断面Ｐｆｃにおいてソール部境界点Ａと前側境界点Ｂとを結ぶ直線を水平面ＨＰに投影したときの直線ＬＡＢの距離が５ｍｍ以上１５ｍｍ以下である。
直線ＬＡＢの距離が上記範囲内であると、打球時にウェイト部３４の慣性力によりソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
直線ＬＡＢの距離が上記範囲を下回ると、剛性が高くなり、第２のたわみΔｄ２を確保しにくくなり、打球時の打ち出し角度の低下を抑制しつつ飛距離を確保する効果が低下する。
直線ＬＡＢの距離が上記範囲を上回ると、凹部３２がフェース部１４から離れるため、打球時にソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下する。
【００３３】
また、本実施の形態では、図１５に示すように、フェース部基準断面Ｐｆｃにおいて前側境界点Ｂと内側境界点Ｃとを結ぶ直線ＬＢＣと水平面ＨＰとがなす第２角度θ２が１０°以上４５°以下である。なお、図１５においてウェイト部３４は図示を省略した。
第２角度θ２が上記範囲内であると、打球時にウェイト部３４の慣性力によりソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
第２角度θ２が上記範囲を下回ると、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下する。
第２角度θ２が上記範囲を上回ると、図２１に示す従来例（ソール部に凹部が有る）のように、凹部を縮ませて（ばねが縮むイメージ）フェース部の第１のたわみΔｄ１を大きくする効果に近くなり、打球時のロフト角が小さくなり、打球の打ち出し角の低下が起こりやすくなる。すなわち、打球時の打ち出し角度の低下を抑制しつつ飛距離を確保する効果が低下する。
【００３４】
また、本実施の形態によれば、図１６に示すように、フェース部基準断面Ｐｆｃにおいてソール部境界点Ａの水平面ＨＰからの高さをソール部境界点高さＨＡとしたとき、中空ゴルフクラブヘッド１０がティーアップできるドライバーヘッド（ヘッド体積４００cc以上）の場合、ソール部境界点高さＨＡは１５ｍｍ以下であり、中空ゴルフクラブヘッド１０が地面にボールが置かれている場合に頻繁に使用されるフェアウェイウッドまたはユーティリティヘッド（ヘッド体積３００cc以下）の場合、ソール部境界点高さＨＡは８ｍｍ以下である。なお、図１６においてウェイト部３４は図示を省略した。
ソール部境界点高さＨＡが上記範囲内であると、ソール部境界点Ａが水平面ＨＰから適切な位置にあるため、打点がフェース面１４Ａの中心点Ｐｃよりも下方であっても、たわみ効果が発生しやすい。また、打球時にウェイト部３４の慣性力によりソール部１８のうちソール部境界点Ａと前側境界点Ｂとの間の部分の第２のたわみΔｄ２を効率的に確保し、打球時の打ち出し角度の低下を抑制しつつ飛距離を確保する上でより有利となる。
ソール部境界点高さＨＡが上記範囲を上回ると、ソール部境界点Ａが水平面ＨＰから離れ過ぎるため、フェース面１４Ａの中心点Ｐｃ寄りにソール部境界点Ａが存在することになる。したがって、フェース面１４Ａの中心点Ｐｃより下方のソール部境界点Ａ近辺で打球した場合は、概ね角部で打つことになり、たわみ効果が小さくなる。また、中空ゴルフクラブヘッドの形状に違和感が出てきて人の印象として打ちづらくなり、ミスショットしやすくなる。
【００３５】
また、本実施の形態では、図１７に示すように、フェース部基準断面Ｐｆｃにおいて前側境界点Ｂと後側境界点Ｄとを結ぶ直線の距離を凹部幅Ｍ１としたとき、凹部幅Ｍ１が５ｍｍ以上４０ｍｍ以下であり、フェース部基準断面Ｐｆｃにおいて直線からソール面１８Ａに延ばした最も長い垂線の長さを凹部深さＤ１としたとき、凹部深さＤ１が２ｍｍ以上３０ｍｍ以下である。なお、図１７においてウェイト部３４は図示を省略した。
凹部幅Ｍ１が上記範囲内で、かつ、凹部深さＤ１が上記範囲内であると、打球時にウェイト部３４の慣性力によりソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
凹部幅Ｍ１が上記範囲を下回り、あるいは、凹部深さＤ１が上記範囲を上回ると、図２１に示す従来例（ソール部に凹部が有る形状）に近い形状となり、凹部を縮ませて（ばねが縮むイメージ）フェース部の第１のたわみΔｄ１を大きくする効果に近くなり、打球時のロフト角が小さくなり、打球の打ち出し角の低下が起こりやすくなる。すなわち、打球時の打ち出し角度の低下を抑制しつつ飛距離を確保する効果が低下する。
凹部幅Ｍ１が上記範囲を上回り、あるいは、凹部深さＤ１が上記範囲を下回ると、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下する。
【００３６】
また、本実施の形態では、図３に示すように、凹部３２およびウェイト部３４は、少なくとも第７平面Ｐ７と第８平面Ｐ８との間でトウヒール方向にわたって延在している。
凹部３２およびウェイト部３４が少なくとも第７平面Ｐ７と第８平面Ｐ８との間でトウヒール方向にわたって延在していると、打球時にウェイト部３４の慣性力によりソール部１８のうちソール部境界点Ａと前側境界点Ｂとの間の部分の第２のたわみΔｄ２を確保し、打球時の打ち出し角度の低下を抑制しつつ飛距離を確保する上でより有利となる。
凹部３２およびウェイト部３４が第７平面Ｐ７と第８平面Ｐ８との間でトウヒール方向にわたって延在していないと、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下する。
【００３７】
本実施の形態によれば、ソール部１８のフェース部１４寄りの箇所にトウヒール方向に延在する凹部３２を設けると共に、中空部２８に面した凹部３２の箇所にクラウン部１６側に突出しつつフェース部１４とフェースバック２６とを結ぶ前後方向の幅を有してトウヒール方向に延在するウェイト部３４を設けた。そして、フェース部基準断面Ｐｆｃから見て、ウェイト部３４はその延在方向の全長にわたって内側境界点Ｃ上に位置している。
したがって、打球時にウェイト部３４に作用する慣性力により、ソール部１８のうちソール部境界点Ａと前側境界点Ｂとの間の部分がフェース部１４の前方に向かって斜め下方に膨らむように変形する。
そのため、打球時にフェース部１４のたわみを大きくし、なおかつ打球時のロフト角が小さくなることが抑えられるため、打球の打ち出し角の低下が抑えられることに加え、変形時のフェース部１４の端部（ソール部境界点Ａ）をソール部１８方向（Ａ′）に移動させ、フェース部１４のクラウンソール方向のフェース長さを大きくすることができる。したがって、フェース部１４のたわみをさらに大きくすることができ、打球の初速を高め飛距離を確保する上で有利となる。
【００３８】
図２０（Ａ）、（Ｂ）はウェイト部３４の位置のみが互いに異なる第１、第２の中空ゴルフクラブヘッド１０Ａ、１０Ｂを模式的に示した図である。
図２０（Ｃ）は第１、第２の中空ゴルフクラブヘッド１０Ａ、１０Ｂの打球時における変形量を比較した図であり、図中符号ＦＡで示す二点鎖線は第１の中空ゴルフクラブヘッド１０Ａの変形を示し、図中符号ＦＢで示す二点鎖線は第２の中空ゴルフクラブヘッド１０Ｂの変形を示している。また、図２０（Ｃ）ではウェイト部３４の図示を省略している。
図２０（Ａ）に示す第１の中空ゴルフクラブヘッド１０Ａは、ウェイト部３４が内側境界点Ｃ上の箇所から内側境界点Ｃと後側境界点Ｄとの中間の箇所までの間に位置している。
図２０（Ｂ）に示す第２の中空ゴルフクラブヘッド１０Ｂは、ウェイト部３４が前側境界点Ｂと内側境界点Ｃとの中間の箇所から内側境界点Ｃと後側境界点Ｄとの中間の箇所までの間に位置している。
第２の中空ゴルフクラブヘッド１０Ｂは、第１の中空ゴルフクラブヘッド１０Ａに比較して、ウェイト部３４がフェース部１４により近いため、打球時に生じるウェイト部３４の慣性力のエネルギーロスが小さい。
したがって、図２０（Ｃ）に示すように、第２の中空ゴルフクラブヘッド１０Ｂの方が第１の中空ゴルフクラブヘッド１０Ａに比較して第２のたわみΔｄ２（ソール部１８のうちソール部境界点Ａと前側境界点Ｂとの間の部分のたわみ）がより大きく確保されている。そのため、第１の中空ゴルフクラブヘッド１０Ａに比べ第２の中空ゴルフクラブヘッド１０Ｂの方が、打球の打ち出し角の低下を抑制しつつ、打球の初速を高める上で有利となり、飛距離を確保する上でより有利となっている。
なお、ウェイト部３４がフェース部１４に近すぎると、ソール部境界点Ａと前側境界点Ｂとの間の部分のたわみ代が低下するため、第２のたわみΔｄ２が小さくなる。
【００３９】
図２１（Ａ）、（Ｂ）は従来技術の中空ゴルフクラブヘッド１０の打球時に生じるフェース部１４、ソール部１８の変形を示している。
図２１（Ａ）は、ウェイト部３４に相当する高剛性部９２が凹部９０の後方に設けられているため、打球時においてフェース部１４はそのソール部１８寄りの箇所がフェースバック２６方向に変位している。
図２１（Ｂ）は、図２１（Ａ）に比較して凹部９０の深さがより大きくなるように形成されている。
凹部９０は、フェース部１４側の前壁９００２と、前壁９００２の上端に接続されソール部１８に接続される後壁９００４とを備え、ウェイト部９４は、後壁９００４の下部とソール部１８とにわたって設けられている。
そのため、打球時において凹部９０の前壁９００２がフェースバック方向に大きく変位し、したがって、フェース部１４はそのソール部１８寄りの箇所がフェースバック２６方向に大きく変位している。
図２１に示す従来例（ソール部に凹部が有る形状）は、ソールフランジ部の第２のたわみΔｄ２を大きく確保しフェース部の第１のたわみΔｄ１を大きく確保するメカニズムではなく、凹部を縮ませて（ばねが縮むイメージ）第１のたわみΔｄ１を大きくするメカニズムである。
そのため、図２１の従来例は、凹部を縮ませる（ばねが縮むイメージ）ために、打球時のロフト角が小さくなり、打球の打ち出し角の低下が顕著に起こる。
したがって、反発力を確保できる一方、打球時にロフト角が低下するため、本実施の形態の中空ゴルフクラブヘッド１０に比較して、打球の打ち出し角が低下し、打球の飛距離を確保する上で不利となる。
【００４０】
以下、本発明の実験例について説明する。
図２３〜図２５は、本発明に係る中空ゴルフクラブヘッド１０の実験結果を示す図である。
試料となる中空ゴルフクラブヘッド１０を各実験例毎に作成し、後述する４つの評価項目を測定し指数（評価点）を求めると共に、４つの指数の合計点を求めた。
【００４１】
（１）初速
中空ゴルフクラブヘッド１０を備えたゴルフクラブをスイングロボットに設置し、以下の条件で実打試験を行い９打点における初速の平均値を指数で評価した。実験例１の指数を１００とし指数が大きいほど初速が速く、評価が良いことを示す。
ヘッドスピード：４０ｍ／ｓ
打点位置は、以下の合計９打点とし、各打点で５回ずつボールを打撃した。
フェース面１４Ａの中心点Ｐｃと、中心点Ｐｃを通りフェースセンターラインＣＬと直交する直線上で中心点Ｐｃからトウ方向に７ｍｍ離間した点と、ヒール方向に７ｍｍ離間した点の３打点。
フェースセンターラインＣＬ上で中心点Ｐｃからクラウン部１６方向に５ｍｍ離間した点と、この点を通りフェースセンターラインＣＬと直交する上５ｍｍライン上で、上記点からトウ方向に７ｍｍ離間した点と、ヒール方向に７ｍｍ離間した点の３打点。
フェースセンターラインＣＬ上で中心点Ｐｃからソール部１８方向に５ｍｍ離間した点と、この点を通りフェースセンターラインＣＬと直交する下５ｍｍライン上で、上記点からトウ方向に７ｍｍ離間した点と、ヒール方向に７ｍｍ離間した点の３打点。
【００４２】
（２）打ち出し角
上記打点位置での実打試験で得られた打ち出し角を測定した。
実験例１の指数を１００とし指数が大きいほど打ち出し角が大きく、評価が良いことを示す。
【００４３】
（３）飛距離
上記打点位置での実打試験で得られた飛距離を測定した。
実験例１の指数を１００とし指数が大きいほど飛距離が長く、評価が良いことを示す。
【００４４】
（４）耐久性
シャフトに固定した中空ゴルフクラブヘッド１０のフェース面１４Ａにエアキャノンにてゴルフボールを繰り返して当て、フェース部１４の変形や破損が生じるまでに要した打撃回数を計測し、打撃回数を指数化した。ボールスピードは５０ｍ／ｓとした。打点位置はフェース面１４Ａの中心点Ｐｃとした。
この場合、実験例１の中空ゴルフクラブヘッド１０の測定結果を１００とした指数で示した。指数が大きいほど評価が良いことを示す。
【００４５】
（５）合計点
上述した初速、打ち出し角、飛距離、耐久性の４つの指数を合計したものを合計点とした。
実験例１の合計点を４００とし合計点が大きいほど評価が良いことを示す。
【００４６】
次に図２２〜図２４を参照しつつ実験例１〜３６について説明する。
なお、以下の実験例では、凹部３２および変形抑制用リブ３４、３６は、クラウン部１６に設けられ、ソール部１８には設けられていないものである。
まず、図２４〜図２６の記載内容について説明する。
左欄には、以下に示すように、各請求項で規定する内容が記載されている。
【００４７】
（対応する図面）
凹部３２およびウェイト部３４の形状および形状を規定する各数値を示す図面の番号を記載した。
なお、対応する図面が無い場合は符号「−」を記載している。
【００４８】
（ウェイト部の内側境界点Ｃに対する位置関係）
図２０（Ａ）に示すように、フェース部基準断面Ｐｆｃから見て、ウェイト部３４がその延在方向の全長にわたって内側境界点Ｃ上に位置し、かつ、ウェイト部３４が内側境界点Ｃ上の箇所から内側境界点Ｃと後側境界点Ｄとの中間の箇所まで位置しているものを「有（後）」とした。
図２０（Ｂ）に示すように、フェース部基準断面Ｐｆｃから見て、ウェイト部３４がその延在方向の全長にわたって内側境界点Ｃ上に位置し、かつ、ウェイト部３４が前側境界点Ｂと内側境界点Ｃとの中間の箇所から内側境界点Ｃと後側境界点Ｄとの中間の箇所まで位置しているものを「有（前）」とした。
フェース部基準断面Ｐｆｃから見て、ウェイト部３４がその延在方向の全長にわたって内側境界点Ｃ上に位置しておらず、したがって、本発明の範囲外のものを「無」とした。
【００４９】
（第１の角度θ１）
図１３で規定した第１角度θ１を記載した。
第１角度が１０°以上６０°以下であれば請求項２の規定を満たす。
【００５０】
（ウェイト部３４の箇所の肉厚Ｔ３／薄肉部３８の肉厚Ｔ４）
図１４で規定した凹部３２の肉厚Ｔ１とウェイト部３４の肉厚Ｔ２とを合計した肉厚Ｔ３を符号「Ｔ３」と数値（mm）の組み合わせで記載した。
また、薄肉部３８の肉厚Ｔ４を「Ｔ４」と数値（mm）の組み合わせで記載した。
肉厚Ｔ３が３．５ｍｍ以上１５ｍｍ以下であり、薄肉部３８の肉厚Ｔ４が０．５ｍｍ以上２．５ｍｍ以下であれば請求項３の規定を満たす。
【００５１】
（薄肉部３８の有無）
フェース部基準断面において、前側境界点Ｂと内側境界点Ｃとの間に、ウェイト部３４の一部と、薄肉部３８とが位置し、薄肉部３８はウェイト部３４よりもフェース部側に位置している場合に「有」と記載した。
また、前側境界点Ｂと内側境界点Ｃとの間に薄肉部３８が位置しておらず、薄肉部３８が内側境界点Ｃと後側境界点Ｄとの間に位置している場合に「薄肉後部」と記載した。
上記規定の薄肉部３８が有れば請求項４の規定を満たす。
【００５２】
（薄肉部３８の加重平均値）
フェース部基準断面においてソール部境界点と後側境界点Ｄとの間のソール部の肉厚の加重平均値のうち、前側境界点Ｂと内側境界点Ｃとの間に位置する薄肉部３８の肉厚の加重平均値Ｔａが最も小さい場合に「有」と記載すると共に、薄肉部３８の加重平均値Ｔａ（ｍｍ）の数値を記載した。
薄肉部３８が上記条件を満たさない場合に「無」と薄肉部３８の加重平均値（ｍｍ）とを記載した。
薄肉部３８が上記条件を満たせば請求項５の規定を満たす。
【００５３】
（重量体領域３６の比率）
図３に示すように、第３平面と第４平面と第５平面と第６平面とで囲まれた矩形範囲内に位置する重量体領域３６の質量Ｗ１がヘッド本体の質量Ｗ２に占める割合Ｗ１／Ｗ２（％）を記載した。
割合Ｗ１／Ｗ２が５％以上５０％以下であれば、請求項６の規定を満たす。
【００５４】
（直線ＬＡＢの距離）
図１３に示すように、フェース部基準断面Ｐｆｃにおいてソール部境界点Ａと前側境界点Ｂとを結ぶ直線を水平面ＨＰに投影したときの直線ＬＡＢの距離（ｍｍ）を記載した。
直線ＬＡＢの距離が５ｍｍ以上１５ｍｍ以下であれば請求項７の規定を満たす。
【００５５】
（第２角度θ２）
図１５に示すように、フェース部基準断面Ｐｆｃにおいて前側境界点Ｂと内側境界点Ｃとを結ぶ直線ＬＢＣと水平面ＨＰとがなす第２角度θ２を記載した。
第２角度θ２が１０°以上４５°以下であれば請求項８の規定を満たす。
【００５６】
（ソール部境界点高さＨＡ）
図１６に示すように、フェース部基準断面Ｐｆｃにおけるソール部境界点Ａの水平面ＨＰからのソール部境界点高さＨＡを記載した。
中空ゴルフクラブヘッド１０が体積４００cc以上の場合、ソール部境界点高さＨＡは１５ｍｍ以下であり、中空ゴルフクラブヘッド１０が体積３００cc以下の場合、ソール部境界点高さＨＡは８ｍｍ以下であれば、請求項９の規定を満たす。
【００５７】
（凹部幅Ｍ１／凹部深さＤ１）
図１７に示すように、フェース部基準断面Ｐｆｃにおいて前側境界点Ｂと後側境界点Ｄとを結ぶ直線の距離である凹部幅Ｍ１と、フェース部基準断面Ｐｆｃにおいて直線からソール面１８Ａに延ばした最も長い垂線の長さである凹部深さＤ１とを記載した。
凹部幅Ｍ１が５ｍｍ以上４０ｍｍ以下であり、凹部深さＤ１が２ｍｍ以上３０ｍｍ以下であれば、請求項１０の規定を満たす。
【００５８】
（凹部３２、ウェイト部３４の延在）
図３に示すように、凹部３２およびウェイト部３４が、少なくとも第７平面Ｐ７と第８平面Ｐ８との間でトウヒール方向にわたって延在しているか否かを記載した。
凹部３２およびウェイト部３４が上記のように延在している場合は「有」、凹部３２およびウェイト部３４が上記のように延在していない場合は「無」とした。
凹部３２およびウェイト部３４が規定通り延在していれば請求項１１の規定を満たす。
また、ウェイト部３４のトウヒール方向に沿った全長ＷＬ（ｍｍ）を記載した。
したがって、ウェイト部３４の全長ＷＬが第７平面Ｐ７と第８平面Ｐ８との間隔３０ｍｍ以上であれば、ウェイト部３４についての請求項１１の規定を満たす。
【００５９】
以下、実験例１〜３６について説明する。
実験例１は、従来技術であって比較例に相当するものであり、図２５に示すように、ソール部１８に凹部９０とウェイト部９４とを備えるが、ウェイト部９４は凹部９０の後壁９００４の後部とソール部１８に設けられており、凹部９０の内側境界点Ｃ上には位置しておらず、本発明の請求項１の規定を満たさないものである。
図２０（Ａ）に示す第１の中空ゴルフクラブヘッド１０Ａは、フェース部基準断面Ｐｆｃから見て、ウェイト部３４が内側境界点Ｃ上の箇所から内側境界点Ｃと後側境界点Ｄとの中間の箇所までの間に位置している。
図２０（Ｂ）に示す第２の中空ゴルフクラブヘッド１０Ｂは、フェース部基準断面Ｐｆｃから見て、ウェイト部３４が前側境界点Ｂと内側境界点Ｃとの中間の箇所から内側境界点Ｃと後側境界点Ｄとの中間の箇所までの間に位置している。
【００６０】
実験例２は、本発明の範囲内であり、図２６に示すように、フェース部基準断面Ｐｆｃから見て、ウェイト部３４が前側境界点Ｂと内側境界点Ｃとの中間の箇所から内側境界点Ｃと後側境界点Ｄとの中間の箇所までの間に位置している。
実験例２は、請求項１−１１の規定を全て満たしている。
したがって、初速１５４、打ち出し角１５５、飛距離１５４、耐久性１５６、合計点６１９であり、全ての評価が実験例１に比較して優れている。
【００６１】
実験例３は、本発明の範囲内であり、実験例２に対する比較例となっており、図２７に示すように、フェース部基準断面Ｐｆｃから見て、ウェイト部３４が内側境界点Ｃとほぼ同じ箇所から内側境界点Ｃと後側境界点Ｄとの中間の箇所までの間に位置している点以外の各規定は実験例２と同一である。
実験例３も、請求項１−１１の規定を全て満たしている。
ただし、実験例２（図２６）と比較すると、フェース部基準断面Ｐｆｃから見て、ウェイト部３４が前側境界点Ｂと内側境界点Ｃとの中間の箇所にまでは位置していないため、打球時のウェイト部３４の慣性力によって生じるエネルギーのロスが僅かに実験例２よりも大きい。
したがって、初速１５１、打ち出し角１５１、飛距離１５１、耐久性１５６、合計点６０９であり、実験例２よりも各評価が若干低下するものの、全ての評価が実験例１に比較して優れている。
【００６２】
実験例４は、本発明の範囲内であり、図２８に示すように、フェース部基準断面Ｐｆｃから見て、ウェイト部３４が前側境界点Ｂと内側境界点Ｃとの中間の箇所から内側境界点Ｃと後側境界点Ｄとの中間の箇所までの間に位置している。
実験例４も、請求項１−１１の規定を全て満たしている。
また、実験例２、３に比較すると、ソール部境界点Ａの位置が高く、かつ、凹部深さＤ１が小さい。
したがって、初速１５３、打ち出し角１５６、飛距離１５５、耐久性１５５、合計点６１９であり、全ての評価が実験例１に比較して優れている。
【００６３】
実験例５は、本発明の範囲内であり、実験例４に対する比較例となっており、図２９に示すように、フェース部基準断面Ｐｆｃから見て、ウェイト部３４が内側境界点Ｃとほぼ同じ箇所から後側境界点Ｄまでの間に位置している点以外の各規定は実験例４と同一である。
実験例５も、請求項１−１１の規定を全て満たしている。
ただし、実験例４（図２８）と比較すると、ウェイト部３４が前側境界点Ｂと内側境界点Ｃとの中間の箇所にまでは位置していないため、打球時のウェイト部３４の慣性力によって生じるエネルギーのロスが僅かに実験例４よりも大きい。
したがって、初速１５０、打ち出し角１５２、飛距離１５０、耐久性１５６、合計点６０８であり、実験例４よりも各評価が若干低下するものの、全ての評価が実験例１に比較して優れている。
【００６４】
実験例６は、本発明の範囲外であり、図３０に示すように、フェース部基準断面Ｐｆｃから見て、ウェイト部３４が内側境界点Ｃ上に位置しておらず、内側境界点Ｃの後方から後側境界点Ｄまでの間に位置している。
実験例６は請求項１の規定を満たしていない。
したがって、初速１００、打ち出し角１０３、飛距離１０２、耐久性１００、合計点４０５であり、全ての評価が実験例１とほぼ同等に留まっている。
【００６５】
実験例７は、請求項１の規定を満たし本発明の範囲内であるが、第１角度θ１が１１．０°であり、１０°以上６０°以下の範囲を下回っており、請求項２の規定を満たしていない。
したがって、初速１０４、打ち出し角１０５、飛距離１０４、耐久性１０３、合計点４１６あり、実験例２−５に比較すると、初速、打ち出し角、飛距離、耐久性の効果が低下している。これは、第１角度θ１が１１．０°と低いため、ソール部境界点Ａと前側境界点Ｂとの距離が短くなることから打球時に第２のたわみΔｄ２が低下し打球時の打ち出し角度の低下を抑制しつつ飛距離を確保する効果が低下するからである。
【００６６】
実験例８は、請求項１の規定を満たし本発明の範囲内であるが、第１角度θ１が６３．０°であり、１０°以上６０°以下の範囲を上回っており、請求項２の規定を満たしていない。
したがって、初速１１０、打ち出し角１０５、飛距離１０４、耐久性１０１、合計点４２０であり、実験例２−５に比較すると、初速、打ち出し角、飛距離、耐久性の効果が低下している。これは、第１角度θ１が６３．０°と高いため、ソールフランジ部もフェース部１４の一部と同様の存在に近くなり、ソールフランジ部近辺のフェース面１４Ａで打球した時に、ソールフランジ部に過大な応力が発生しやすくなり、耐久性を確保する効果が低下しているためである。
【００６７】
実験例９は、請求項１の規定を満たし本発明の範囲内であるが、凹部３２の肉厚Ｔ１とウェイト部３４の肉厚Ｔ２とを合計した肉厚Ｔ３が１６ｍｍであり、３．５ｍｍ以上１５ｍｍ以下の範囲を上回っている。
また、薄肉部３８の肉厚Ｔ４が０．４ｍｍであり、０．５ｍｍ以上２．５ｍｍ以下の範囲を下回っており、請求項３の規定を満たしていない。
したがって、初速１２０、打ち出し角１０１、飛距離１０８、耐久性１０１、合計点４３０であり、実験例２−５に比較すると、初速、打ち出し角、飛距離、耐久性の効果が低下している。これは、肉厚Ｔ３が大きすぎるため、ウェイト部３４の重心位置が高くなりすぎ、ウェイト部３４に作用する慣性力Ｆの向きが効率的でなく、第２のたわみΔｄ２を大きく確保する効果が低下し、また、肉厚Ｔ４が小さすぎるため、剛性が低くなりすぎ、耐久性を確保する効果が低下するとともに、過度の変形で打球時の打ち出し角度の低下を抑制しつつ飛距離を確保する効果が低下するからである。
【００６８】
実験例１０は、請求項１の規定を満たし本発明の範囲内であるが、凹部３２の肉厚Ｔ１とウェイト部３４の肉厚Ｔ２とを合計した肉厚Ｔ３が３．０ｍｍであり、３．５ｍｍ以上１５ｍｍ以下の範囲を下回っている。
また、薄肉部３８の肉厚Ｔ４が２．８ｍｍであり、０．５ｍｍ以上２．５ｍｍ以下の範囲外であり、請求項３の規定を満たしていない。
したがって、初速１０７、打ち出し角１０６、飛距離１０７、耐久性１０７、合計点４２７であり、実験例２−５に比較すると、初速、打ち出し角、飛距離、耐久性の効果が低下している。これは、肉厚Ｔ３が小さすぎるため、ウェイト部３４に作用する慣性力Ｆが小さく、肉厚Ｔ４の薄肉部３８の剛性が高いので第２のたわみΔｄ２を大きく確保する効果が低下し、そのため、打球時の打ち出し角度の低下を抑制しつつ飛距離を確保する効果が低下するからである。
【００６９】
実験例１１は、請求項１の規定を満たし本発明の範囲内である。
凹部３２の肉厚Ｔ１とウェイト部３４の肉厚Ｔ２とを合計した肉厚Ｔ３が５．０ｍｍであり、３．５ｍｍ以上１５ｍｍ以下の範囲内の値である。
また、薄肉部３８の肉厚Ｔ４が０．７ｍｍであり、０．５ｍｍ以上２．５ｍｍ以下の範囲の下限値に近い値であり、請求項３の規定を満たしている。
したがって、初速１３５、打ち出し角１３３、飛距離１３３、耐久性１３０、合計点５３１であり、実験例２−５に比較すると、初速、打ち出し角、飛距離、耐久性の効果が低下しているものの、実験例９、１０よりも効果は高い。
【００７０】
実験例１２は、請求項１の規定を満たし本発明の範囲内である。
凹部３２の肉厚Ｔ１とウェイト部３４の肉厚Ｔ２とを合計した肉厚Ｔ３が３．８ｍｍであり、３．５ｍｍ以上１５ｍｍ以下の範囲の下限値に近い値である。
また、薄肉部３８の肉厚Ｔ４が１．０ｍｍであり、０．５ｍｍ以上２．５ｍｍ以下の範囲内の値であり、請求項３の規定を満たしている。
したがって、初速１３３、打ち出し角１３２、飛距離１３３、耐久性１３４、合計点５３２であり、実験例２−５に比較すると、初速、打ち出し角、飛距離、耐久性の効果が低下しているものの、実験例９、１０よりも効果は高い。
【００７１】
実験例１３は、請求項１の規定を満たし本発明の範囲内である。
しかしながら、フェース部基準断面Ｐｆｃから見て、前側境界点Ｂと内側境界点Ｃとの間に、ウェイト部３４が位置しているものの、薄肉部３８が前側境界点Ｂと内側境界点Ｃとの間に位置しておらず、薄肉部３８が内側境界点Ｃと後側境界点Ｄとの間に位置しているため、請求項４の規定を満たしていない。
したがって、初速１１０、打ち出し角１０６、飛距離１１０、耐久性１１０、合計点４３６であり、実験例２−５に比較すると、初速、打ち出し角、飛距離、耐久性の効果が低下している。
これは、薄肉部３８がフェース部１４から離れているため、打球時に生じる第２のたわみΔｄ２が限定的となり、打球時の打ち出し角度の低下を抑制しつつ飛距離を確保する効果が低下するからである。
【００７２】
実験例１４は、請求項１の規定を満たし本発明の範囲内である。
また、重量体領域３６の質量Ｗ１がヘッド本体の質量Ｗ２に占める比率が３％であり、５％以上５０％以下の範囲を下回っており、請求項６の規定を満たしていない。
したがって、初速１１０、打ち出し角１１１、飛距離１１２、耐久性１１５、合計点４４８であり、実験例２−５に比較すると、初速、打ち出し角、飛距離、耐久性の効果が低下している。
これは、打球時におけるウェイト部３４の慣性力が小さいため、打球時に生じる第２のたわみΔｄ２が限定的となり打球時の打ち出し角度の低下を抑制しつつ飛距離を確保する効果が低下するからである。
【００７３】
実験例１５は、請求項１の規定を満たし本発明の範囲内である。
また、重量体領域３６の質量Ｗ１がヘッド本体の質量Ｗ２に占める比率が５４％であり、５％以上５０％以下の範囲を上回っており、請求項６の規定を満たしていない。
したがって、初速１１５、打ち出し角１１６、飛距離１１３、耐久性１０５、合計点４４９であり、実験例２−５に比較すると、初速、打ち出し角、飛距離、耐久性の効果が低下している。
これは、打球時にウェイト部３４の慣性力の大きさが大きくなりすぎ、第２のたわみΔｄ２が大きくなりすぎて、エネルギーロスを生じ、効果が低下するため、打球時の打ち出し角度の低下を抑制しつつ飛距離を確保する効果が低下するためである。
【００７４】
実験例１６は、請求項１の規定を満たし本発明の範囲内である。
また、重量体領域３６の質量Ｗ１がヘッド本体の質量Ｗ２に占める比率が７％であり、５％以上５０％以下の範囲の下限値近傍の値であり、請求項６の規定を満たしている。
したがって、初速１３３、打ち出し角１３５、飛距離１３７、耐久性１４５、合計点５５０であり、実験例２−５に比較すると、初速、打ち出し角、飛距離、耐久性の効果が低下しているものの、実験例１４よりも効果が高い。
【００７５】
実験例１７は、請求項１の規定を満たし本発明の範囲内である。
また、重量体領域３６の質量Ｗ１がヘッド本体の質量Ｗ２に占める比率が４７％であり、５％以上５０％以下の範囲の上限値近傍の値であり、請求項６の規定を満たしている。
したがって、初速１４０、打ち出し角１３６、飛距離１４０、耐久性１３７、合計点５５３であり、実験例２−５に比較すると、初速、打ち出し角、飛距離、耐久性の効果が低下しているものの、実験例１５よりも効果が高い。
【００７６】
実験例１８は、請求項１の規定を満たし本発明の範囲内である。
また、ソール部境界点Ａと前側境界点Ｂとを結ぶ直線を水平面ＨＰに投影したときの直線ＬＡＢの距離が３．０ｍｍであり、５ｍｍ以上１５ｍｍ以下の範囲を下回っていおり、請求項７の規定を満たしていない。
したがって、初速１１８、打ち出し角１１８、飛距離１１７、耐久性１０５、合計点４５８であり、実験例２−５に比較すると、初速、打ち出し角、飛距離、耐久性の効果が低下している。
これは、直線ＬＡＢの距離が上記範囲を下回ると、剛性が高くなり、第２のたわみΔｄ２を確保しにくくなり、打球時の打ち出し角度の低下を抑制しつつ飛距離を確保する効果が低下するためである。
【００７７】
実験例１９は、請求項１の規定を満たし本発明の範囲内である。
また、フェース部基準断面Ｐｆｃにおいて、ソール部境界点Ａと前側境界点Ｂとを結ぶ直線を水平面ＨＰに投影したときの直線ＬＡＢの距離が１８．０ｍｍであり、５ｍｍ以上１５ｍｍ以下の範囲を上回っていおり、請求項７の規定を満たしていない。
したがって、初速１０８、打ち出し角１０７、飛距離１１０、耐久性１３５、合計点４６０であり、実験例２−５に比較すると、初速、打ち出し角、飛距離、耐久性の効果が低下している。
これは、直線ＬＡＢの距離が大きいため、第２のたわみΔｄ２を確保する効果が限定的となり打球時の打ち出し角度の低下を抑制しつつ飛距離を確保する効果が低下するからである。
【００７８】
実験例２０は、請求項１の規定を満たし本発明の範囲内である。
また、フェース部基準断面Ｐｆｃにおいて、ソール部境界点Ａと前側境界点Ｂとを結ぶ直線を水平面ＨＰに投影したときの直線ＬＡＢの距離が１４．０ｍｍであり、５ｍｍ以上１５ｍｍ以下の範囲内であり、請求項７の規定を満たしている。
したがって、初速１４０、打ち出し角１３８、飛距離１４０、耐久性１４５、合計点５６３であり、実験例２−５に比較すると、初速、打ち出し角、飛距離、耐久性の効果が低下しているものの、実験例１８、１９に比較して効果が高い。
【００７９】
実験例２１は、請求項１の規定を満たし本発明の範囲内である。
また、フェース部基準断面Ｐｆｃにおいて、前側境界点Ｂと内側境界点Ｃとを結ぶ直線ＬＢＣと水平面ＨＰとがなす第２角度θ２が８．０°であり１０°以上４５°以下の範囲を下回っており、請求項８の規定を満たしていない。
したがって、初速１０６、打ち出し角１０８、飛距離１０６、耐久性１４６、合計点４６６であり、実験例２−５に比較すると、初速、打ち出し角、飛距離、耐久性の効果が低下している。
これは、第２角度θ２が小さすぎるため、第２のたわみΔｄ２を確保する効果が限定的となり打球時の打ち出し角度の低下を抑制しつつ飛距離を確保する効果が低下するからである。
【００８０】
実験例２２は、請求項１の規定を満たし本発明の範囲内である。
また、フェース部基準断面Ｐｆｃにおいて、前側境界点Ｂと内側境界点Ｃとを結ぶ直線ＬＢＣと水平面ＨＰとがなす第２角度θ２が４８．０°であり１０°以上４５°以下の範囲を上回っており、請求項８の規定を満たしていない。
したがって、初速１４０、打ち出し角１０２、飛距離１１７、耐久性１１０、合計点４６９であり、実験例２−５に比較すると、初速、打ち出し角、飛距離、耐久性の効果が低下している。
これは、第２角度θ２が大きすぎると、図２１のような従来例（ソール部に凹部が有る形状）に近い形状となり、凹部を縮ませて（ばねが縮むイメージ）フェース部の第１のたわみΔｄ１を大きく確保する効果に近くなり、打球時のロフト角が小さくなり、打球の打ち出し角の低下が起こりやすくなるからである。すなわち、打球時の打ち出し角度の低下を抑制しつつ飛距離を確保する効果が低下するからである。
【００８１】
実験例２３は、請求項１の規定を満たし本発明の範囲内である。
また、フェース部基準断面Ｐｆｃにおいて、前側境界点Ｂと内側境界点Ｃとを結ぶ直線ＬＢＣと水平面ＨＰとがなす第２角度θ２が１２．０°であり１０°以上４５°以下の範囲の下限値近傍であり、請求項８の規定を満たしている。
したがって、初速１３５、打ち出し角１４５、飛距離１４０、耐久性１５０、合計点５７０であり、実験例２−５に比較すると、初速、打ち出し角、飛距離、耐久性の効果が低下しているものの、実験例２１よりも効果が高い。
【００８２】
実験例２４は、請求項１の規定を満たし本発明の範囲内である。
また、フェース部基準断面Ｐｆｃにおいて、前側境界点Ｂと内側境界点Ｃとを結ぶ直線ＬＢＣと水平面ＨＰとがなす第２角度θ２が４３．０°であり１０°以上４５°以下の範囲の上限値近傍であり、請求項８の規定を満たしている。
したがって、初速１５０、打ち出し角１３５、飛距離１４５、耐久性１４０、合計点５７０であり、実験例２−５に比較すると、初速、打ち出し角、飛距離、耐久性の効果が低下しているものの、実験例２２よりも効果が高い。
【００８３】
実験例２５は、請求項１の規定を満たし本発明の範囲内である。
また、実験例２５は、中空ゴルフクラブヘッド１０がウッドであり体積が460ccであり、フェース部基準断面Ｐｆｃにおいて、ソール部境界点Ａの水平面ＨＰからの高さをソール部境界点高さＨＡが１８．０ｍｍであり、１５ｍｍ以下という範囲を上回っており、請求項９の規定を満たしていない。
したがって、初速１２０、打ち出し角１１０、飛距離１１０、耐久性１４０、合計点４８０であり、実験例２−５に比較すると、初速、打ち出し角、飛距離、耐久性の効果が低下している。
ソール部境界点高さＨＡが上記範囲を上回ると、ソール部境界点Ａが水平面ＨＰから離れ過ぎるため、（フェース面１４Ａの中心点Ｐｃ寄りにソール部境界点Ａが存在）中心点Ｐｃより下方のソール部境界点Ａ近辺で打球した場合は、概ね角部近くで打つことになり、たわみ効果が小さくなるためである。
【００８４】
実験例２６は、請求項１の規定を満たし本発明の範囲内である。
また、実験例２５は、中空ゴルフクラブヘッド１０がフェアウェイウッドまたはユーティリティで体積が２１０ccであり、フェース部基準断面Ｐｆｃにおいて、ソール部境界点Ａの水平面ＨＰからの高さをソール部境界点高さＨＡが１０．０ｍｍであり、８ｍｍ以下という範囲を上回っており、請求項９の規定を満たしていない。
したがって、初速１１９、打ち出し角１０９、飛距離１１１、耐久性１４０、合計点４７９であり、実験例２−５に比較すると、初速、打ち出し角、飛距離、耐久性の効果が低下している。
これは、ソール部境界点高さＨＡが上記範囲を上回ると、ソール部境界点Ａが水平面ＨＰから離れ過ぎるため、（フェース面１４Ａの中心点Ｐｃ寄りにソール部境界点Ａが存在）中心点Ｐｃより下方のソール部境界点Ａ近辺で打球した場合は、概ね角部近くで打つことになり、たわみ効果が小さくなるためである。
【００８５】
実験例２７は、請求項１の規定を満たし本発明の範囲内である。
また、凹部幅Ｍ１が３ｍｍであり、５ｍｍ以上４０ｍｍ以下の範囲を下回り、かつ、凹部深さＤ１が３ｍｍであり、２ｍｍ以上３０ｍｍ以下の範囲の下限値近傍であり、請求項１０の規定を満たしていない。
したがって、初速１１６、打ち出し角１１４、飛距離１１１、耐久性１４５、合計点４８６であり、実験例２−５に比較すると、初速、打ち出し角、飛距離、耐久性の効果が低下している。
これは、凹部幅Ｍ１が小さすぎるため、第２のたわみΔｄ２を大きく確保する効果が小さく、打球時の打ち出し角度の低下を抑制しつつ飛距離を確保する効果が低下するからである。
【００８６】
実験例２８は、請求項１の規定を満たし本発明の範囲内である。
また、凹部幅Ｍ１が４２ｍｍであり、５ｍｍ以上４０ｍｍ以下の範囲を上回り、かつ、凹部深さＤ１が３ｍｍであり、２ｍｍ以上３０ｍｍ以下の範囲の下限値近傍であり、請求項１０の規定を満たしていない。
したがって、初速１２１、打ち出し角１１７、飛距離１２１、耐久性１３０、合計点４８９であり、実験例２−５に比較すると、初速、打ち出し角、飛距離、耐久性の効果が低下している。
これは、凹部幅Ｍ１が大きすぎるため、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下するからである。
【００８７】
実験例２９は、請求項１の規定を満たし本発明の範囲内である。
また、凹部幅Ｍ１が７ｍｍであり、５ｍｍ以上４０ｍｍ以下の範囲の下限値近傍であり、かつ、凹部深さＤ１が３ｍｍであり、２ｍｍ以上３０ｍｍ以下の範囲の下限値近傍であり、請求項１０の規定を満たしている。
したがって、初速１４６、打ち出し角１４５、飛距離１４６、耐久性１５４、合計点５９１であり、実験例２−５に比較すると、初速、打ち出し角、飛距離、耐久性の効果が低下しているものの、実験例２７に比較して効果が高い。
【００８８】
実験例３０は、請求項１の規定を満たし本発明の範囲内である。
また、凹部幅Ｍ１が３７ｍｍであり、５ｍｍ以上４０ｍｍ以下の範囲の上限値近傍であり、かつ、凹部深さＤ１が３ｍｍであり、２ｍｍ以上３０ｍｍ以下の範囲の下限値近傍であり、請求項１０の規定を満たしている。
したがって、初速１５０、打ち出し角１４３、飛距離１４５、耐久性１５２、合計点５９０であり、実験例２−５に比較すると、初速、打ち出し角、飛距離、耐久性の効果が低下しているものの、実験例２８に比較して効果が高い。
【００８９】
実験例３１は、請求項１の規定を満たし本発明の範囲内である。
また、凹部幅Ｍ１が１５ｍｍであり、５ｍｍ以上４０ｍｍ以下の範囲内であり、かつ、凹部深さＤ１が１ｍｍであり、２ｍｍ以上３０ｍｍ以下の範囲を下回っており、請求項１０の規定を満たしていない。
したがって、初速１１３、打ち出し角１１１、飛距離１０９、耐久性１５５、合計点４８８であり、実験例２−５に比較すると、初速、打ち出し角、飛距離、耐久性の効果が低下している。
これは、凹部深さＤ１が小さすぎるため、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下するからである。
【００９０】
実験例３２は、請求項１の規定を満たし本発明の範囲内である。
また、凹部幅Ｍ１が１５ｍｍであり、５ｍｍ以上４０ｍｍ以下の範囲内であり、かつ、凹部深さＤ１が３３ｍｍであり、２ｍｍ以上３０ｍｍ以下の範囲を上回っており、請求項１０の規定を満たしていない。
したがって、初速１５０、打ち出し角１０７、飛距離１１６、耐久性１１５、合計点４８８であり、実験例２−５に比較すると、初速、打ち出し角、飛距離、耐久性の効果が低下している。
これは、凹部深さＤ１が上記範囲を上回ると、図２１のような従来例（ソール部に凹部が有る形状）に近い形状となり、凹部を縮ませて（ばねが縮むイメージ）フェース部の第１のたわみΔｄ１を大きく確保する効果に近くなり、打球時のロフト角が小さくなり、打球の打ち出し角の低下が起こりやすくなるからである。すなわち、打球時の打ち出し角度の低下を抑制しつつ飛距離を確保する効果が低下するからである。
【００９１】
実験例３３は、請求項１の規定を満たし本発明の範囲内である。
また、凹部幅Ｍ１が１５ｍｍであり、５ｍｍ以上４０ｍｍ以下の範囲内であり、かつ、凹部深さＤ１が２７ｍｍであり、２ｍｍ以上３０ｍｍ以下の範囲内であり、請求項１０の規定を満たしている。
したがって、初速１５２、打ち出し角１４８、飛距離１４６、耐久性１４４、合計点５９０であり、実験例２−５に比較すると、初速、打ち出し角、飛距離、耐久性の効果が低下しているものの、実験例３１、３２に比較して効果が高い。
【００９２】
実験例３４は、請求項１の規定を満たし本発明の範囲内である。
また、フェース部基準断面Ｐｆｃにおいてソール部境界点Ａと後側境界点Ｄとの間のソール部１８の肉厚の加重平均値のうち、前側境界点Ｂと内側境界点Ｃとの間に位置する薄肉部３８の肉厚の加重平均値Ｔａが最も小さいという規定を満たしておらず、薄肉部３８の加重平均値Ｔａは２．５ｍｍである。したがって、実験例３４は、請求項５の規定を満たさない。
したがって、初速１０６、打ち出し角１０９、飛距離１０７、耐久性１２５、合計点４４７であり、実験例２−５に比較すると、初速、打ち出し角、飛距離、耐久性の効果が低下している。
これは、薄肉部３８の肉厚の加重平均値Ｔａの規定を満たしていないため、打球時にソール部１８のうちソール部境界点Ａと前側境界点Ｂとの間の部分の第２のたわみΔｄ２を確保し、打球時の打ち出し角度の低下を抑制しつつ飛距離を確保する効果が低下するからである。
【００９３】
実験例３５は、請求項１の規定を満たし本発明の範囲内である。
また、凹部３２は、第７平面Ｐ７と第８平面Ｐ８との間でトウヒール方向にわたって延在している。
また、ウェイト部３４は、その延在方向の全長ＷＬが２５ｍｍであり、第７平面Ｐ７と第８平面Ｐ８との間の間隔３０ｍｍよりも短く、第７平面Ｐ７と第８平面Ｐ８との間でトウヒール方向にわたって延在しておらず、請求項１１の規定を満たしていない。
なお、実験例２から３４においてウェイト部３４の全長ＷＬは５５ｍｍである。
したがって、初速１１５、打ち出し角１１４、飛距離１１６、耐久性１４２、合計点４８７であり、実験例２−５に比較すると、初速、打ち出し角、飛距離、耐久性の効果が低下している。
これは、フェース面１４Ａの中心点Ｐｃ近辺での打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が低下するからである。
【００９４】
実験例３６は、請求項１の規定を満たし本発明の範囲内である。
また、凹部３２は、第７平面Ｐ７と第８平面Ｐ８との間でトウヒール方向にわたって延在している。
また、ウェイト部３４は、その延在方向の全長ＷＬが３５ｍｍであり、第７平面Ｐ７と第８平面Ｐ８との間の間隔３０ｍｍよりも長く、第７平面Ｐ７と第８平面Ｐ８との間でトウヒール方向にわたって延在しており、請求項１１の規定を満たしてる。
したがって、初速１５０、打ち出し角１４８、飛距離１５１、耐久性１４４、合計点５９３であり、実験例２−５よりもウェイト部３４の全長ＷＬが短く効果が若干小さいが、実験例３５に比較して初速、打ち出し角、飛距離、耐久性の効果は良好である。
これは、打球時にウェイト部３４の慣性力によりソール部１８のうちソール部境界点Ａと前側境界点Ｂとの間の部分の第２のたわみΔｄ２を確保しにくくなり、打球時の打ち出し角度の低下を抑制しつつ飛距離を確保する効果が若干低下するからである。
【００９５】
以下、各評価項目について検討する。
（１）初速
本発明の範囲内であり、請求項１の規定を満たす実験例２−５、７−３６は、初速が１０４〜１５４であり、請求項１−１１の全ての規定を満たす実験例２−５は、初速が１５０〜１５４である。
一方、本発明の範囲外である実験例１、６は、初速が１００であり、本発明の範囲内のものは、本発明の範囲外のものに対して初速の向上を図る効果が優れている。
（２）打ち出し角
本発明の範囲内であり、請求項１の規定を満たす実験例２−５、７−３６は、打ち出し角が１０１〜１５６であり、請求項１−１１の全ての規定を満たす実験例２−５は、打ち出し角が１５１〜１５６である。
一方、本発明の範囲外である実験例１、６は、打ち出し角が１００、１０３であり、本発明の範囲内のものは、本発明の範囲外のものに対して打ち出し角の向上を図る効果が優れている。
（３）飛距離
本発明の範囲内であり、請求項１の規定を満たす実験例２−５、７−３６は、飛距離が１０２〜１５５であり、請求項１−１１の全ての規定を満たす実験例２−５は、飛距離が１５０〜１５５である。
一方、本発明の範囲外である実験例１、６は、飛距離が１００、１０２であり、本発明の範囲内のものは、本発明の範囲外のものに対して飛距離の向上を図る効果が優れている。
（４）耐久性
本発明の範囲内であり、請求項１の規定を満たす実験例２−５、７−３６は、耐久性が１０１〜１５６であり、請求項１−１１の全ての規定を満たす実験例２−５は、耐久性が１５５〜１５６である。
一方、本発明の範囲外である実験例１、６は、耐久性が１００であり、本発明の範囲内のものは、本発明の範囲外のものに対して耐久性の向上を図る効果が優れている。
（５）合計点
本発明の範囲内であり、請求項１の規定を満たす実験例２−５、７−３６は、合計点が４１６〜６１９であり、請求項１−１１の全ての規定を満たす実験例２−５は、合計点が６０８〜６１９である。
一方、本発明の範囲外である実験例１、６は、合計点が４００、４０５であり、本発明の範囲内のものは、本発明の範囲外のものに対して合計点の向上を図る効果が優れている。
【符号の説明】
【００９６】
１０  中空ゴルフクラブヘッド
１２  ヘッド本体
１４  フェース部
１４Ａ  フェース面
１６  クラウン部
１６Ａ  クラウン面
１８  ソール部
１８Ａ  ソール面
２０  サイド部
２２  トウ
２４  ヒール
２６  フェースバック
２８  中空部
３０  ホーゼル部
３２  凹部
３４  ウェイト部
３６  薄肉部
Ａ  ソール部境界点
Ｂ  前側境界点
Ｃ  内側境界点
Ｄ  後側境界点
【図１】
0006256556.tif 000002
【図２】
0006256556.tif 000003
【図３】
0006256556.tif 000004
【図４】
0006256556.tif 000005
【図５】
0006256556.tif 000006
【図６】
0006256556.tif 000007
【図７】
0006256556.tif 000008
【図８】
0006256556.tif 000009
【図９】
0006256556.tif 000010
【図１０】
0006256556.tif 000011
【図１１】
0006256556.tif 000012
【図１２】
0006256556.tif 000013
【図１３】
0006256556.tif 000014
【図１４】
0006256556.tif 000015
【図１５】
0006256556.tif 000016
【図１６】
0006256556.tif 000017
【図１７】
0006256556.tif 000018
【図１８】
0006256556.tif 000019
【図１９】
0006256556.tif 000020
【図２０】
0006256556.tif 000021
【図２１】
0006256556.tif 000022
【図２２】
0006256556.tif 000023
【図２３】
0006256556.tif 000024
【図２４】
0006256556.tif 000025
【図２５】
0006256556.tif 000026
【図２６】
0006256556.tif 000027
【図２７】
0006256556.tif 000028
【図２８】
0006256556.tif 000029
【図２９】
0006256556.tif 000030
【図３０】
0006256556.tif 000031
【図３１】
0006256556.tif 000032